(57)【要約】【課題】容易に、かつ、短時間にエレメントを交換することができるハンマーを提供する。【解決手段】柄（１１０）と、前記柄（１１０）に取り付けられたハンマーヘッド（１２０）と、からなるハンマー（１００）において、前記ハンマーヘッド（１２０）には、一端に打撃部（１２１）が設けられ、他端にはプレート（１４０）が取り外し自在に取り付けられている。【選択図】図２
0003122744.tif 000002
【実用新案登録請求の範囲】
【請求項１】
柄と、前記柄に取り付けられたハンマーヘッドと、からなるハンマーにおいて、
前記ハンマーヘッドには、一端に打撃部が設けられ、他端にはプレートが取り外し自在に取り付けられていることを特徴とするハンマー。
【請求項２】
前記プレートは前記ハンマーヘッドに対して螺子を介して取り付けられており、前記螺子は前記柄の側から前記プレートを前記ハンマーヘッドに取り付けるものであることを特徴とする請求項１に記載のハンマー。
【考案の詳細な説明】
【技術分野】
【０００１】
本考案はハンマーに関し、より詳細には、両端に打撃部とプレートとがそれぞれ設けられているハンマーヘッドを有するハンマーに関する。
【背景技術】
【０００２】
これまでに、ハンマーヘッドを交換することができるハンマーとして多数のものが提案されている。
【０００３】
その一例として、特開２００５−２０５５２２号公報に記載されたものがある。
【０００４】
同公報に記載されたハンマーは、柄と、柄に取り付けられたハンマーヘッドを備えており、ハンマーヘッドにはその軸方向（すなわち、柄の長手方向と直交する方向）に貫通孔が形成されている。
【０００５】
ハンマーヘッドに形成された貫通孔には、その一端からは第１エレメント（例えば、打撃部）が挿入され、他端からは第２エレメント（例えば、プレート）が挿入される。第１エレメントと第２エレメントとは貫通孔の内部で螺合するように構成されている。
【０００６】
同公報に記載されたハンマーによれば、第１エレメント及び第２エレメントをハンマーヘッドから取り外すことにより、第１エレメント及び第２エレメントのいずれかあるいは双方を交換することができるようになっている。
【考案の開示】
【考案が解決しようとする課題】
【０００７】
しかしながら、同公報に記載されたハンマーによれば、第１エレメント及び第２エレメントのいずれか一方のみを交換する場合であっても、第１エレメント及び第２エレメントの双方をハンマーヘッドから取り外す必要があり、交換に手間を要していた。
【０００８】
本考案はこのような問題点に鑑みてなされたものであり、第１エレメント及び第２エレメントの双方をハンマーヘッドから取り外す必要がなく、容易に、かつ、短時間にエレメントを交換することができるハンマーを提供することを目的とする。
【課題を解決するための手段】
【０００９】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１０】
上記の目的を達成するため、本考案は、柄（１１０）と、前記柄（１１０）に取り付けられたハンマーヘッド（１２０）と、からなるハンマー（１００）において、前記ハンマーヘッド（１２０）には、一端に打撃部（１２１）が設けられ、他端にはプレート（１４０）が取り外し自在に取り付けられていることを特徴とするハンマー（１００）を提供する。
【００１１】
前記プレート（１４０）は前記ハンマーヘッド（１２０）に対して螺子（１４４）を介して取り付けられており、前記螺子（１４４）は前記柄（１１０）の側から前記プレート（１４０）を前記ハンマーヘッド（１２０）に取り付けるものであることが好ましい。
【考案の効果】
【００１２】
本考案に係るハンマーにおいては、プレートはハンマーヘッドから取り外すことが可能である。このため、プレートが古くなったり、破損したりした場合には、新しいものに交換することが可能であり、あるいは、必要に応じて、種々の形状のプレートに交換することが可能である。
【００１３】
さらに、本実施形態に係るハンマーにおいては、従来のハンマーと異なり、プレートのみを取り外すことが可能であり、従来のハンマーのように、プレートを取り外す際に、打撃部もともに取り外す必要はない。このため、従来のハンマーと比較して、プレートの交換作業をより効率的に行うことが可能である。
【００１４】
さらに、本考案に係るハンマーにおいては、螺子を介してプレートをハンマーヘッドに取り付ける場合、螺子のヘッドは柄の方向を向いている。仮に、螺子がハンマーヘッドの外側（ハンマーヘッドに関して柄とは反対側）に取り付けられていると、プレートの使用時に螺子のヘッドが岩場にあたり、破損もしくは変形してしまうおそれがある。本考案に係るハンマーにおいては、螺子のヘッドは柄の方向を向いているため、このようなおそれを生じることなく、プレートを使用することが可能である。
【考案を実施するための最良の形態】
【００１５】
図１は本考案の一実施形態に係るハンマー１００の正面図、図２はハンマー１００の側面図である。
【００１６】
ハンマー１００は、柄１１０と、ハンマーヘッド１２０と、柄１１０とハンマーヘッド１２０とを連結するシャフト１３０と、から構成されている。
【００１７】
柄１１０は樹脂製、金属製または木製であり、その軸心には、シャフト１３０が挿入される孔１１１が長手方向に形成されている。
【００１８】
さらに、柄１１０には孔１１１と直交する方向にピン孔１１２が形成されている。
【００１９】
シャフト１３０にはピン孔１１２に対応するピン孔（図示せず）が形成されている。シャフト１３０は、シャフト１３０を柄１１０の孔１１１に挿入した後、ピン孔１１２からピン１１３を挿入し、ピン１１３をシャフト１３０のピン孔（図示せず）に通すことにより、柄１１０に固定されている。
【００２０】
ハンマーヘッド１２０には、シャフト１３０を嵌合する凹部（図示せず）が形成されている。シャフト１３０は、ハンマーヘッド１２０の凹部（図示せず）に嵌合された後、ハンマーヘッド１２０に溶接されることにより、ハンマーヘッド１２０に固定されている。
【００２１】
ハンマーヘッド１２０には、その一端に打撃部としての銅ヘッド１２１が形成されており、他端にはプレート１４０が取り付けられている。打撃部としての銅ヘッド１２１は対象物（例えば、釘など）に打撃力を加えるためのものであり、プレート１４０は、例えば、貝を割ったり、岩場に張り付いた貝（例えば、タカノツメなど）をそぎ落としたりするために用いられる。
【００２２】
図３は、プレート１４０の斜視図である。
【００２３】
図３に示すように、プレート１４０は、板状部分１４１と、板状部分１４１に連なったエッジ部分１４２（このエッジ部分１４２において、貝を割ったり、岩場に張り付いた貝をそぎ落としたりする）とからなり、板状部分１４１には２個の貫通孔１４３が並列に形成されている。
【００２４】
図２に示すように、ハンマーヘッド１２０には、直角に削り取られた形状の凹部１２２が形成されており、ハンマーヘッド１２０の軸線上に広がる平面１２３が形成されている。平面１２３は柄１１０に向いている。
【００２５】
図４は、プレート１４０をハンマーヘッド１２０に取り付けた状態を示す断面図である。
【００２６】
ハンマーヘッド１２０の表面１２３にはネジ穴１２４が形成されており、プレート１４０は、螺子（ボルトまたはネジ）１４４をプレート１４０の貫通孔１４３に通し、ハンマーヘッド１２０のネジ穴１２４に螺合させることにより、ハンマーヘッド１２０に固定される。
【００２７】
本実施形態に係るハンマー１００によれば、以下の効果を得ることができる。
【００２８】
本実施形態に係るハンマー１００においては、プレート１４０は、螺子１４４を外すことにより、ハンマーヘッド１２０から取り外すことが可能である。このため、プレート１４０が古くなったり、破損したりした場合には、新しいものに交換することが可能であり、あるいは、必要に応じて、種々の形状のプレートに交換することが可能である。
【００２９】
図５乃至図７は交換用のプレートの一例を示す斜視図である。
【００３０】
図５に示すプレート１４０Ａは、板状部分１４１Ａと、エッジ部分１４２Ａとからなり、エッジ部分１４２Ａは板状部分１４１Ａよりも幅が狭くなっている。このため、小さな貝をそぎ落としたりするときに有効である。
【００３１】
図６に示すプレート１４０Ｂは、板状部分１４１Ｂと、エッジ部分１４２Ｂとからなり、エッジ部分１４２Ｂは板状部分１４１Ｂよりも幅が広くなっている。このため、多数の貝を一度にそぎ落としたりするときに有効である。
【００３２】
図７に示すプレート１４０Ｃは、板状部分１４１Ｃと、フック部分１４２Ｃとからなる。フック部分１４２Ｃは、例えば、地面に突き刺されたハーケンの一端（地表に露出している端部）に取り付けられたリングに引っかけて、ハーケンを抜き取るために用いられる。
【００３３】
さらに、本実施形態に係るハンマー１００においては、従来のハンマーと異なり、プレート１４０のみを取り外すことが可能であり、従来のハンマーのように、プレートを取り外す際に、打撃部もともに取り外す必要はない。このため、従来のハンマーと比較して、プレートの交換作業をより効率的に行うことが可能である。
【００３４】
さらに、本実施形態に係るハンマー１００においては、プレート１４０をハンマーヘッド１２０に取り付けている螺子１４４のヘッドは柄１１０の方向を向いている。仮に、螺子１４４がハンマーヘッド１２０の外側（ハンマーヘッド１２０に関して柄１１０とは反対側）に取り付けられていると、プレート１４０の使用時に螺子１４４のヘッドが岩場にあたり、破損もしくは変形してしまうおそれがある。本実施形態に係るハンマー１００においては、螺子１４４のヘッドは柄１１０の方向を向いているため、このようなおそれを生じることなく、プレート１４０を使用することが可能である。
【００３５】
なお、本実施形態に係るハンマー１００は以上のような構成に限定されるものではなく、種々の変更が可能である。
【００３６】
本実施形態に係るハンマー１００においては、シャフト１３０は溶接によりハンマーヘッド１２０に固定されているが、溶接以外の方法により、固定することも可能である。
【００３７】
あるいは、シャフト１３０の先端に雄ネジを形成し、ハンマーヘッド１２０の凹部に雌ネジを形成することにより、シャフト１３０をハンマーヘッド１２０に対して取り外し可能に形成することも可能である。
【００３８】
あるいは、シャフト１３０を省略して、柄１１０を直接的にハンマーヘッド１２０に取り付けることも可能である。
【００３９】
図８は、プレート１４０の取り付け方法の他の例を示す断面図である。
【００４０】
ハンマーヘッド１２０の他端（銅ヘッド１２１が形成されている端部とは反対側の端部）は平面状に形成されており、この平面状の他端から二つの突出部１２５、１２６が相互に平行に延びている。二つの突出部１２５、１２６の間の間隔はプレート１４０の厚みに等しい。二つの突出部１２５、１２６には、プレート１４０の貫通孔１４３に対応して、貫通孔１２７、１２８がそれぞれ形成されている。
【００４１】
プレート１４０は、プレート１４０を二つの突出部１２５、１２６の間に挿入し、螺子１４４を貫通孔１２８、１４３、１２７に通し、ナット１４６で締めることにより、ハンマーヘッド１２０に対して固定される。
【００４２】
あるいは、貫通孔１２７、１２８のいずれかに雌ネジを形成し、その雌ネジに螺子１４４を螺合させることも可能である。
【産業上の利用可能性】
【００４３】
本考案に係るハンマーは、釣り、登山、キャンプその他のアウトドアに使用することができるのみならず、通常のハンマーとして日常生活において使用することも可能である。
【図面の簡単な説明】
【００４４】
【図１】本考案の一実施形態に係るハンマーの正面図である。
【図２】本考案の一実施形態に係るハンマーの側面図である。
【図３】本考案の一実施形態に係るハンマーにおけるプレートの斜視図である。
【図４】プレートをハンマーヘッドに取り付けた状態を示す断面図である。
【図５】プレートの他の例を示す斜視図である。
【図６】プレートの他の例を示す斜視図である。
【図７】プレートの他の例を示す斜視図である。
【図８】プレートの取り付け方法の他の例を示す断面図である。
【符号の説明】
【００４５】
１００  本考案の一実施形態に係るハンマー
１１０  柄
１２０  ハンマーヘッド
１２１  銅ヘッド
１２２  凹部
１２３  平面
１２４  ネジ穴
１２５、１２６  突出部
１２７、１２８  貫通孔
１３０  シャフト
１１１  孔
１１２  ピン孔
１１３  ピン
１４０  プレート
１４１  板状部分
１４２  エッジ部分
１４３  貫通孔
１４４  螺子
【図１】
0003122744.tif 000003
【図２】
0003122744.tif 000004
【図３】
0003122744.tif 000005
【図４】
0003122744.tif 000006
【図５】
0003122744.tif 000007
【図６】
0003122744.tif 000008
【図７】
0003122744.tif 000009
【図８】
0003122744.tif 000010